(57)【要約】【課題】  横足弓だけでなく、縦足弓のアーチの形状を正常に保つように矯正することも可能な靴下を提供する。【解決手段】  かかと部１付近の爪先方向寄りの位置に周方向の伸縮性に富む第１締付け部２を周設するとともに、つま先部３付近の踵方向寄りの位置に周方向の伸縮性に富む第２締付け部４を周設した靴下であって、靴下の足底部に、第１締付け部２と第２締付け部４を連結するように、足甲部６と比較して靴下の長手方向の伸縮性が低い連結部５を設けた構成とする。【効果】  連結部５が縦足弓のアーチの形状に沿って土踏まずを押し上げるように作用するため、第１締付け部と第２締付け部による横足弓の矯正効果だけでなく、縦足弓のアーチの形状を正常に保つように矯正する効果も得られる。【選択図】        図１
2008050744.tif 000002
【特許請求の範囲】
【請求項１】
靴下のかかと部付近の爪先方向寄りの位置に周方向の伸縮性に富む第１締付け部を周設するとともに、前記靴下のつま先部付近の踵方向寄りの位置に周方向の伸縮性に富む第２締付け部を周設した靴下であって、前記靴下の足底部に、前記第１締付け部と前記第２締付け部を連結するように、前記靴下の足甲部と比較して前記靴下の長手方向の伸縮性が低い連結部を設けたことを特徴とする靴下。
【請求項２】
前記連結部は、前記靴下の足甲部と比較して、前記靴下の長手方向の編み目の密度を２倍以上としたことを特徴とする請求項１記載の靴下。
【請求項３】
前記連結部は、前記連結部の周方向の中央位置における靴下の長手方向の長さが３ｃｍ以上３．５ｃｍ以下の範囲としたことを特徴とする請求項１又は２に記載の靴下。
【請求項４】
前記連結部は、足底側から見たときに、前記靴下の長手方向の中央部付近が括れた形状としたことを特徴とする請求項１乃至３の何れかに記載の靴下。
【請求項５】
前記第１締付け部と前記かかと部の内側面は、パイル編みとしたことを特徴とする請求項１乃至４の何れかに記載の靴下。
【請求項６】
前記第２締付け部の足底部の中央部付近と、前記靴下の土踏まず部の内側付近の生地の厚みを、他の部分の生地の厚みよりも厚いものとしたことを特徴とする請求項１乃至５の何れかに記載の靴下。
【請求項７】
前記靴下のかかと部付近の踝方向寄りの位置に周方向の伸縮性に富む第３締付け部をさらに周設したことを特徴とする請求項１乃至６の何れかに記載の靴下。
【発明の詳細な説明】
【技術分野】
【０００１】
本発明は、足の縦足弓の曲線に沿って土踏まずを押し上げることにより、縦足弓のアーチの形状を正常に保つように矯正するとともに、正常な歩行を促すことができる靴下に関する。
【背景技術】
【０００２】
図４は、人の右足の骨を足底側から見た状態を表した図である。図４に示すように、人の足を構成する骨は、指節骨Ｇ１、中足骨Ｇ２、足根骨Ｇ３に大別され、図５（ｂ）に示すように、足底には、縦足弓Ｈ１（縦方向のアーチ）と横足弓Ｈ２（横方向のアーチ）が形成されている。
【０００３】
この縦足弓Ｈ１と横足弓Ｈ２は、それぞれ独立したものではなく、相互に関連して土踏まずを形成し、歩行接地時の衝撃を緩和するバネのような役割とともに、体重を足全体に分散させ、体重移動をスムーズにする重要な役割を果たしている。縦足弓Ｈ１は、図４及び図５（ａ）に示すように、踵骨結節Ｇ３１を起点とし、距骨、舟状骨、内側楔状骨を超えて第１中足骨Ｇ２１にかけてアーチを形成している内側弓と、踵骨結節Ｇ３１を起点として立法骨を通り、第５中足骨Ｇ２２にかけてアーチを形成している外側弓とからなる。一方、横足弓Ｈ２は、図５（ａ）に示すように、第１中足骨Ｇ２１から第５中足骨Ｇ２２にかけて形成される前アーチと、３個の楔状骨を含み、土踏まずの左側Ｇ３２から右側Ｇ３３にかけて形成される主アーチとからなる。
【０００４】
図６は、足底の主な靭帯を図示したものであり、Ｊ３は底側踵立方靭帯を、Ｊ４は底側靭帯を示している。足底の靭帯は、骨格によって形成された縦足弓Ｈ１と横足弓Ｈ２に対し、強く張って、アーチを維持する役割を果たしているが、特に、底側踵舟靭帯Ｊ１と長足底靭帯Ｊ２が、足底のアーチ構造を維持する重要な靭帯といわれている。このように、縦足弓Ｈ１と横足弓Ｈ２とからなる足底のアーチ構造は、バネのような役割を果たして歩行接地時の衝撃を緩和するとともに、体重を足全体に分散させ、体重移動をスムーズにする役目を果たしているため、縦足弓Ｈ１と横足弓Ｈ２の形状を正常に保つことは、正常な歩行運動を促すことにも繋がると考えられている。
【０００５】
ところが、縦足弓Ｈ１は、ハイヒールによるつま先立ちの状態や、硬い革靴を履いた歩行が長時間続くと、縦足弓Ｈ１を維持していた底側踵舟靭帯Ｊ１や長足底靭帯Ｊ２が過伸した状態が継続される結果、縦足弓Ｈ１のアーチが下がってしまい、正常な曲線を保ち難くなる。縦足弓Ｈ１の縦方向のアーチの形状が保てなくなると、歩行時の衝撃吸収効果が充分に得られないため、正常な歩行運動が行えず、足の疲れや特定部分に痛みが発生する原因となる。また、上記の問題は、元々、縦足弓Ｈ１の形成が未熟な偏平足の人においては特に顕著に現れる。
【０００６】
そこで、従来より、履いたときに両側部から締め付けることで中足骨靭帯を横アーチ状の再生方向に矯正することを目的とした靴下が開示されている。
【特許文献１】特開２００５−４２２１３号
【０００７】
例えば、上記特許文献１には、中足骨靭帯に対応する足裏部及びその両側部に当接する部分を弾性の高い高弾性材で構成し、中足骨靭帯に対応する足表部に当接する部分を前記弾性材より弾性の低い低弾性材で構成し、履いたときに両側部から締め付けることで中足骨靭帯を横アーチ状の再生方向に矯正する機能を備えた靴下が提案されている。
【０００８】
また、従来より、血行不良を抑制しながら足のアーチを回復させ、足の正常な機能を回復させることを目的とした靴下も公知となっている。
【特許文献２】特開２００５−３１２５１２号
【０００９】
具体的には、例えば上記特許文献２には、靴下本体の、横中足靱帯の足裏側に対応する部分と、足根骨の足背側に対応する部分に、足の幅方向で見た引張抵抗力が他の部分よりも強い弾性伸縮部を配置し、足裏側の弾性伸縮部の両端部分は、足の内外の側部分の内の略下半分を覆うように延長されると共に、足背側の弾性伸縮部の両端部分は、足の内外の側部分の略上半分を覆うように延長された構成の靴下が提案されている。
【発明の開示】
【発明が解決しようとする課題】
【００１０】
しかしながら、上記特許文献１の靴下は、履いたときに両側部から締め付けることで中足骨靭帯を横アーチ状の再生方向に矯正しようとするものであるため、横足弓Ｈ２に対しては一定の矯正効果が得られる可能性があるものの、縦足弓Ｈ１については、矯正効果が期待できないという問題があった。
【００１１】
また、上記特許文献２の靴下も、横中足靱帯の足裏側に対応する部分と、足根骨の足背側に対応する部分に、足の幅方向で見た引張抵抗力が他の部分より強い弾性伸縮部をそれぞれ配置した構成であるため、横足弓Ｈ２のみを意識しており、縦足弓Ｈ１に対しては十分な矯正効果が得られない。
【００１２】
要するに、従来の靴下は、図７に示すように、口ゴム部１０００を広げて開口部８００から脚Ｆ１を挿入し、靴下を着用した状態において、かかと部１００とつま先部３００の間の足底部５００と、土踏まずＦ２の間に、空間Ｆ３が存在する状態であったため、縦足弓Ｈ１を維持していた底側踵舟靭帯Ｊ１や長足底靭帯Ｊ２が過伸した状態が長時間続き、縦足弓Ｈ１のアーチが下がってしまう現象に対しては、十分な効果を発揮することができない。
【００１３】
本発明は、上記のような従来の問題点に鑑みてなされたものであって、縦足弓Ｈ１の曲線に沿って土踏まずを押し上げることにより、横足弓Ｈ２だけではなく、縦足弓Ｈ１のアーチの形状を正常に保つように矯正することも可能な靴下を提供することを目的としている。
【課題を解決するための手段】
【００１４】
上記の目的を達成するため、本発明の靴下は、
靴下のかかと部付近の爪先方向寄りの位置に周方向の伸縮性に富む第１締付け部を周設するとともに、前記靴下のつま先部付近の踵方向寄りの位置に周方向の伸縮性に富む第２締付け部を周設した靴下であって、前記靴下の足底部に、前記第１締付け部と前記第２締付け部を連結するように、前記靴下の足甲部と比較して前記靴下の長手方向の伸縮性が低い連結部を設けたことを最も主要な特徴点としている。
【発明の効果】
【００１５】
本発明によれば、第１締付け部を、靴下のかかと部付近の爪先方向寄りの位置に周設するとともに、第２締付け部を、靴下のつま先部付近の踵方向寄りの位置に周設しているため、これらの締付け部によって、第１中足骨Ｇ２１から第５中足骨Ｇ２２にかけて形成される前アーチと、土踏まずの左側Ｇ３２から右側Ｇ３３にかけて形成される主アーチとからなる横足弓Ｈ２に対する横方向のアーチの矯正効果が得られる。
【００１６】
さらに、本発明の靴下は、足底部に第１締付け部と第２締付け部を連結するように、靴下の足甲部と比較して靴下の長手方向の伸縮性が低い連結部を設けたため、この連結部が縦足弓Ｈ１のアーチに沿って土踏まずを押し上げるように作用し、縦足弓Ｈ１のアーチの形状を正常に保つように矯正する効果も得られる。
【発明を実施するための最良の形態】
【００１７】
本発明の靴下は、靴下のかかと部付近の爪先方向寄りの位置に周方向の伸縮性に富む第１締付け部を周設するとともに、前記靴下のつま先部付近の踵方向寄りの位置に周方向の伸縮性に富む第２締付け部を周設した靴下であって、前記靴下の足底部に、前記第１締付け部と前記第２締付け部を連結するように、前記靴下の足甲部と比較して前記靴下の長手方向の伸縮性が低い連結部を設けた構成である。
【００１８】
本発明では、第１締付け部と第２締付け部を連結する連結部の長手方向の伸縮性は、足甲部の長手方向の伸縮性と比較して小さいものを使用する。そのようにすることで、図７における空間Ｆ３の発生を防止し、縦足弓Ｈ１の曲線に沿って土踏まずをしっかりと押し上げる効果が発揮されるからである。なお、ここで長手方向の伸縮性とは、靴下の長手方向の伸縮性（かかと部とつま先部を結ぶ直線と平行な向きの伸縮性）をいう。
【００１９】
連結部の伸縮性をどの程度まで小さくするかは、特に限定をするものではないが、本発明者が検討したところによると、靴下の足甲部と比較して長手方向の編み目の密度を２倍以上とした場合に、伸縮性の差が適度なものとなり、土踏まずの押し上げ効果が好適であることが判明している。なお、長手方向の編み目の密度が２倍以上というのは、例えば、長手方向１インチあたりのコース数を２倍以上とすることを意味する。
【００２０】
また、本発明では、連結部のサイズは特に限定されないが、本発明者が検討したところによると、連結部の周方向の中央位置における靴下の長手方向の長さが３ｃｍ以上３．５ｃｍ以下の範囲とすることがより望ましいことが判明している。足のサイズには個人差があるため、一概には言えないが、上記の範囲内であれば、概ね縦足弓Ｈ１のアーチの形状にきっちりと沿わせることができるからである。なお、「連結部の周方向の中央位置」とは、連結部は靴下の周方向に所要の幅を有しているが、その周方向の幅における中央の位置という意味である。また、「靴下の長手方向の長さ」とは、靴下のつま先部とかかと部を結ぶラインと平行な方向（靴下の周方向と直行する方向）という意味である。
【００２１】
また、本発明では、連結部の形状は特に限定されないが、本発明者が検討したところによると、足底側から見たときに、靴下の長手方向の中央部付近が括れた形状とすることがより望ましい。このようにすれば、足底側から足甲側に向けて徐々に伸縮性が高くなるため、靴下を履いたときに突っ張ったり皺が発生することがなく履き心地が良い上、見た目に違和感を与えることもないからである。
【００２２】
また、本発明では、第１締付け部とかかと部の内側面は、パイル編みとすることがより望ましい。このようにすれば、靴下の内部で足が滑らないため、連結部の位置が安定する上、パイル編みがクッションとなって歩行接地時の足への衝撃を緩和する効果も得られるからである。
【００２３】
また、本発明では、第２締付け部の足底部の中央部付近と、靴下の土踏まず部の内側付近の生地の厚みを、他の部分の生地の厚みよりも厚いものとすることがより望ましい。このようにすれば、第２締付け部の足底部の中央部付近と土踏まず部がしっかりとサポートされ、安定性が向上するからである。
【００２４】
また、本発明では、靴下のかかと部付近の踝方向寄りの位置に伸縮性に富む第３締付け部をさらに周設することがより望ましい。このようにすれば、足首をしっかりとサポートできる上、靴下のずれ落ちも防止できるからである。
【実施例】
【００２５】
以下、本発明の靴下を、実施例に基いてさらに詳細に説明する。図１は、左足用の本発明の靴下を横方向から見た状態を表した説明図である。
【００２６】
本実施例の靴下は、靴下編機を用いて編成された靴下であり、かかと部１に近接した付近の爪先方向寄りの位置には、伸縮糸が挿入されたタック編みで編成するなどの手段により、靴下の周方向における伸縮性に富む第１締付け部２が周設されている。また、靴下のつま先部３付近の踵方向寄りの位置にも同様に、周方向の伸縮性に富む第２締付け部４が周設されている。
【００２７】
実施例の靴下は、上記のような第１締付け部２を周設することにより、図１の矢印Ａに示す方向に締付け力が働くため、土踏まずの左側から右側にかけて形成される横足弓の主アーチに対する矯正効果が得られる。また、上記のような第２の締付け部４を周設することにより、図１の矢印Ｂに示す方向に締付け力が働くため、第１中足骨から第５中足骨にかけて形成される横足弓の前アーチに対する矯正効果も得られる。
【００２８】
また、本実施例の靴下は、靴下の足底部に、第１締付け部２と第２締付け部４の間を連結するように、靴下の足甲部６と比較して靴下の長手方向の伸縮性（図１の矢印Ｃと平行な方向の伸縮性）が低い連結部５を設けている。このように、本発明では、足底部に伸縮性の低い連結部５を設け、かつ、連結部５の長手方向の両端が第１締付け部２と第２締付け部４に連結されているので、縦足弓Ｈ１の曲線に沿って土踏まずを図１の矢印Ｄの方向にしっかりと押し上げる効果が得られる。
【００２９】
本実施例では、連結部５の長手方向の編み目の密度は、靴下の足甲部６の長手方向の編み目の密度と比較して２倍とし、伸縮性の差を適度なものとして、土踏まずの押し上げ効果を好適にしている。また、本実施例の連結部５は、連結部５の周方向の中央位置における靴下の長手方向の長さ（図１のＬで示す部分の長さ）は３．３ｃｍとし、縦足弓のアーチの形状にきっちりと沿わせるようにしている。
【００３０】
図１において、１０は、靴下の内部の通気性を良好するために足甲部６の爪先寄りの位置に設けたメッシュ部を、８は、足挿入口を、１１は、口ゴム部を示している。また、７は、靴下のかかと部１付近の踝方向寄りの位置に設けた第３締付け部を示している。第３締付け部７は、伸縮糸が挿入されたタック編みで編成するなどの手段により、周方向の伸縮性に富むように編成され、図１の矢印Ｅに示す方向に締付け力が働くため、足首をしっかりとサポートできる上、靴下のずれ落ちも防止できる。
【００３１】
図２は、本実施例の靴下を足底側から見た状態を表した図であり、紙面の上方は、つま先部３、紙面の下方は、かかと部１となっている。本実施例の靴下の連結部５は、足底側から見たときに、靴下の長手方向の中央部付近５３が括れた形状となっている。括れた形状というのは、図２に示すように、５１，５５で示す長手方向の上下端の位置における周方向の幅と、５２，５４で示す中間の位置における周方向の幅と、中央部５３の位置における周方向の幅を比較したときに、中央部５３に近づくにつれて徐々に幅が狭くなっていることを意味する。このようにすれば、足底側から足甲側に向けて徐々に伸縮性が高くなるため、靴下を履いたときに突っ張ったり皺が発生することがなく履き心地が良い上、見た目に違和感を与えることもないので、好適である。
【００３２】
なお、図示しないが、実施例の靴下は、第１締付け部２とかかと部１の内側面は、パイル編みとして、靴下の内部で足が滑ることを防止している。これにより、靴下の内部で足が滑らないため連結部５の位置が安定する上、パイル編みがクッションとなって歩行接地時の足への衝撃を緩和する効果も得られるため、好適である。
【００３３】
また、実施例の靴下は、図２に示すように、第２締付け部４の足底部の中央部付近と、靴下の土踏まず部の内側付近に、生地の厚みを厚くした厚み増加部９を設けて、第２締付け部の足底部の中央部付近と土踏まず部をしっかりとサポートし、安定性の向上を図っている。
【００３４】
図３は、本発明の靴下を着用した状態を説明する図である。本発明では、第１締付け部をかかと部付近の爪先方向寄りの位置に周設するとともに、第２締付け部をつま先部付近の踵方向寄りの位置に周設したため、これらの締付け部によって、横足弓Ｈ２に対する矯正効果が得られる上、足底部に第１締付け部と第２締付け部を連結するように、靴下の足甲部と比較して靴下の長手方向の伸縮性が低い連結部を設けたため、従来の靴下を着用した図７と比較すると明らかなように、連結部５と土踏まずＦ２の間に空間は存在せず、縦足弓の曲線に沿って土踏まずをしっかりと押し上げて、縦足弓のアーチ形状を正常に保つように矯正する効果も得られる。すなわち、本発明の構成によれば、横足弓だけでなく、縦足弓のアーチの形状を正常に保つように矯正することもできるので、従来の問題を解決し、かつ、正常な歩行運動を促すという効果も得られる。
【００３５】
さらに進んで、本発明の靴下の効果を確認するために行った試験の方法及び結果について説明する。以下の試験では、図１に示す本発明の靴下の実施品の一例を「実施例１」、第１締付け部と第２締付け部に相当する構成のみを備え、連結部に相当する構成は有さない従来の靴下の一例を「比較例１」、図７に示すような、第１締付け部、第２締付け部、連結部に相当する構成を何れも有さない従来の靴下の一例を「比較例２」としている。効果確認試験は、引張試験、足底部着圧試験、土踏まず面積変化率比較試験の３項目について実施した。各試験の試験方法と結果は、以下の通りである。
【００３６】
１）引張試験
実施例１、比較例１、比較例２の各靴下について、
（Ａ）靴下の足底部の長手方向の引張力
（Ｂ）靴下のかかと部付近の爪先方向寄りの位置における周方向の引張力
（Ｃ）靴下のつま先部付近の踵方向寄りの位置における周方向の引張力
をそれぞれ測定した。（Ａ）、（Ｂ）、（Ｃ）の各箇所において、引張力は、以下の方法によって測定した。
【００３７】
（引張試験の試験条件）
測定機：インストロン社製「ＩＮＳＴＲＯＮ」（登録商標）
試験条件：２３℃、５０％、引張速度  ３００ｍｍ／ｍｉｎ
試験方法：
（イ）２．５×９ｃｍの試験片（足底部のつま先・かかとを除く部分）に切り取る。
（ロ）３ｃｍ（約２０％）伸長と回復を３回繰り返す。３回目伸張時の引張力の値を読み取る。
（ハ）上記の方法で５回計測し、平均値を取る。
【００３８】
試験結果は、以下の表１〜表３に示すとおりとなった。引張力は、引張に要する力を測定するものであり、この値が大きいほど、上記（Ａ）については縦アーチ形状を保つ方向に、上記（Ｂ）、（Ｃ）については横アーチ形状を保つ方向に、サポート力が強いものといえる。なお、比較例１の（Ｂ）、（Ｃ）の箇所は、実施例１の（Ｂ）、（Ｃ）の箇所と同様の構造で、比較の必要がないため、測定を省略している。
【００３９】
【表１】
2008050744.tif 000003
【００４０】
【表２】
2008050744.tif 000004
【００４１】
【表３】
2008050744.tif 000005
【００４２】
表１〜表３に示すように、（Ａ）靴下の足底部の縦方向の引張力については、実施例１が２０．２（Ｎ）、比較例１が３．７１（Ｎ）、比較例２が１．９３（Ｎ）という結果になっており、実施例１は、連結部を備えていることにより、縦方向に対する張力が最も大きく働いていることが確認された。従って、本発明は、縦アーチ形状を矯正する効果が、従来品よりも明らかに大きいといえる。
【００４３】
なお、実施例１は、図１の靴下であり、前述したように、連結部５の長手方向の編み目の密度は、靴下の足甲部６の長手方向の編み目の密度と比較して２倍としたものである。一方、比較例２は、図７のような通常の靴下であり、足底部５００と足甲部６００で長手方向の編み目の密度に差は設けられていない。実施例１と比較例２を比べた場合、実施例１の足甲部６と比較例２の足甲部６００の長手方向の編み目の密度はほぼ同じであるが、実施例１の連結部５の長手方向の編み目の密度は、比較例２の足底部５００の長手方向の編み目の密度と比較して約２倍となっている。そうすることにより、実施例１の引張力は２０．２（Ｎ）、比較例２の引張力は１．９３（Ｎ）と約１０倍の差が表れており、長手方向の編み目の密度を約２倍にすれば、長手方向の伸縮性は約１／１０に低く設定できることが確認された。
【００４４】
また、（Ｂ）靴下のかかと部付近の爪先方向寄りの位置における周方向の引張力についても、実施例１は＝４．６（Ｎ）、比較例２は０．４７（Ｎ）という結果になっている。従って、本発明は、横アーチ形状を矯正する効果についても、図７に示すような通常の靴下と比較すれば、明らかに大きいことが確認された。また、（Ｃ）靴下のつま先部付近の踵方向寄りの位置における周方向の引張力についても、実施例１は３．４５（Ｎ）、比較例２は０．５１（Ｎ）という結果になっており、同様のことが言える。
【００４５】
２）足底部着圧試験
実施例１、比較例１、比較例２の靴下を着用した状態で、図５（ｂ）の縦足弓Ｈ１の中央付近にかかる着圧力を計測した。着圧力の測定は、以下の方法によるものとした。
【００４６】
（足底部着圧試験の試験条件）
測定機：エアパック式着圧測定機  ＡＭＩ３０３７−１０
試験条件：２０代男性右足
試験方法：
（イ）エアパックを縦足弓Ｈ１の中央付近に貼付。
（ロ）試験品を履かせ、椅子に座り足底が地面に触れない状態で１分間計測を行い、安定値を読取る（３回測定し平均値を取る）。
【００４７】
着圧力は、その値が大きいほど縦アーチを押し上げる力が強いと言え、縦アーチ形状を矯正する方向に力が働いていることを意味する。試験結果は、以下の表４に示す通りとなった。
【００４８】
【表４】
2008050744.tif 000006
【００４９】
表４に示す通り、縦足弓Ｈ１の中央付近に働く着圧力（ｈＰａ）の値は、本発明の実施品である実施例１が最も大きく、本発明の構成によれば、アーチを押し上げる力、つまりアーチ形状を矯正する力が有効に働くことが確認された。また、比較例１と比較しても、実施例１の着圧力が明らかに大きいことより、横足弓と縦足弓が交わる部分の着圧力を高くするためには、第１締付け部と第２締付け部を設けるだけでは十分でなく、本発明の靴下のように、靴下の足底部に、第１締付け部と第２締付け部を連結するように、長手方向の伸縮性が低い連結部を設けることが極めて重要であることが確認された。
【００５０】
３）土踏まず面積変化率比較試験
実施例１、比較例２の靴下をそれぞれ着用して一定時間歩行を行った場合における歩行前後の土踏まず部の面積を計測し、変化率を算出することによって、歩行前後の足底アーチの変化状況を比較する試験を行った。
【００５１】
（土踏まず面積変化率比較試験の試験条件）
被験者：標準的な体格の３０代男性３人
試験方法：
（イ）両足について足裏部の足形を取る。
（ロ）サンプルの靴下を着用し、平坦なアスファルト舗装路を自然歩行で３時間歩行する。
（ハ）３時間歩行後、両足について足裏部の足形を取る。
（ニ）面積測定器（タマヤ測定システム社製 TAMAYA DIGITAL PLANIMETER「PLANIX」（登録商標））を用いて、土踏まず部分に相当する足形の面積をそれぞれ測定した。なお、図８に示す通り、拇指側の足裏端部接線８１と土踏み８２の足形とで囲まれた範囲（黒塗りとした範囲）を土踏まず部８３と定義し、その面積を土踏まず面積として測定した。
（ホ）上記（イ）の時点の歩行前土踏まず面積から上記（ハ）の時点の歩行後土踏まず面積への変化量の割合を算出し、左右の平均値を「土踏まず面積変化率（％）」とした。すなわち、歩行後の土踏まず面積（ｍｍ2 ）／歩行前の土踏まず面積（ｍｍ2 ）＝土踏まず面積変化率（％）とした。
（へ）実施例１の靴下を履いて上記試験を行った場合の土踏まず変化率と、比較例２の靴下を履いて上記試験を行った場合の土踏まず変化率の差（変化率差異）を求めた。
【００５２】
なお、上記試験では、土踏まず面積変化率が１００％を下回った場合、歩行前に比べて歩行後の方が接地面積が広いことを示し、疲労による足底アーチの降下を示すものと考えることができる。一方、土踏まず面積変化率が１００％を上回ると、歩行前に比べて歩行後の方が接地面積が狭いことを示し、足底アーチの形状を矯正し、降下を防止する効果が持続したことを示すものと考えることができる。
【００５３】
【表５】
2008050744.tif 000007
【００５４】
表５は実施例１、比較例２における被験者３名の土踏まず面積変化率の平均値である。比較例２は、僅かに０．０２％だけ１００％を上回っているが、誤差の範囲であり、足底アーチの形状に殆ど変化がなかったことを示している。一方、実施例１では、土踏まず面積変化率は１０４．８５％となっており、変化率差異が４．８５％であることより、足底アーチの形状を矯正する効果が認められ、靴下を脱いだ後もその効果が持続していたものと考えられる。
【００５５】
このように、本発明の靴下は、横足弓だけでなく縦足弓のアーチも矯正する作用が得られるため、従来の靴下に比べて足底アーチの形状を正常に矯正し、又は高める効果のあることが確認できた。
【００５６】
なお、上記試験では通常歩行で比較したが、従来の靴下を履いてさらに激しい運動を行えば、足底への負担がますます大きくなり、正常なアーチ形状を保てなくなる可能性が高いと考えられる。一方、本発明の靴下を利用すれば、縦アーチ及び横アーチを矯正する力が働くため、激しい運動を行ったときでも正常なアーチ形状が保たれ、足底アーチのバネ機能が充分に発揮されるものと考えられる。
【００５７】
以上説明したように、本発明の靴下は、第１締付け部をかかと部付近の爪先方向寄りの位置に周設するとともに、第２締付け部をつま先部付近の踵方向寄りの位置に周設したため、これらの締付け部によって、横足弓に対する矯正効果が得られる上、足底部に第１締付け部と第２締付け部を連結するように、靴下の足甲部と比較して靴下の長手方向の伸縮性が低い連結部を設けたため、縦足弓の曲線に沿って土踏まずをしっかりと押し上げて、縦足弓のアーチ形状を正常に保つように矯正する効果も得られる。そのため、本発明の構成によれば、横足弓だけでなく、縦足弓のアーチの形状も正常に保たれるので、正常な歩行運動を促す効果も得られる。
【産業上の利用可能性】
【００５８】
本発明の靴下は、一般用に限らず、マラソンランナーなど長時間走り続けるスポーツ選手用の靴下にも適用できるものである。
【図面の簡単な説明】
【００５９】
【図１】本発明の靴下を横方向から見た状態を表した説明図である。
【図２】本発明の靴下を足底側から見た状態を表した説明図である。
【図３】本発明の靴下を着用した状態を説明する図である。
【図４】人の右足の骨を足底側から見た状態を表した図である。
【図５】（ａ）は、踵骨結節を起点とし、第１中足骨又は第５中足骨にかけてアーチを形成している内側弓、外側弓と、第１中足骨から第５中足骨にかけて形成される前アーチ、土踏まずの左側から右側にかけて形成される主アーチについての説明図、（ｂ）は、縦足弓と横足弓についての説明図である。
【図６】足底の主な靭帯についての説明図である。
【図７】従来の靴下を着用した状態を説明する図である。
【図８】土踏まず面積変化率比較試験における「土踏まず部」の定義を説明する図である。
【符号の説明】
【００６０】
１  かかと部
２  第１締付け部
３  つま先部
４  第２締付け部
５  連結部
６  足甲部
７  第３締付け部
９  厚み増加部
【図１】
2008050744.tif 000008
【図２】
2008050744.tif 000009
【図３】
2008050744.tif 000010
【図４】
2008050744.tif 000011
【図５】
2008050744.tif 000012
【図６】
2008050744.tif 000013
【図７】
2008050744.tif 000014
【図８】
2008050744.tif 000015